(57)【要約】【課題】  本体内部の雑音を拾い難いマイク付きカメラを提供する。【解決手段】  マイク４を介して被写体の音声を録音可能なカメラ１は、カメラ本体２の前部に位置する撮影レンズ５の先端部にあるレンズフード３に前記マイク４を配置したものとする。【選択図】図１
2005175763.tif 000002
【特許請求の範囲】
【請求項１】
マイクを介して被写体の音声を録音可能なカメラにおいて、
カメラ本体の前部に位置する撮影レンズの先端部にあるレンズフードに前記マイクを配置したことを特徴とするカメラ。
【請求項２】
前記撮影レンズは、前記マイクを前記カメラ本体に接続する電路を有することを特徴とする請求項１に記載のカメラ。
【請求項３】
前記レンズフードは、前記撮影レンズに着脱可能であり、前記マイクを前記電路に接続するコネクタを有することを特徴とする請求項２に記載のカメラ。
【請求項４】
前記撮影レンズは、前記カメラ本体に着脱可能であり、前記電路を前記カメラ本体に接続するコネクタを有することを特徴とする請求項２または３に記載のカメラ。
【請求項５】
前記マイクは、音声信号を前記カメラ本体に無線送信する手段を有し、
前記カメラ本体は、前記マイクからの音声信号を無線受信する手段を有することを特徴とする請求項１から４のいずれかに記載のカメラ。
【請求項６】
前記マイクは、前記レンズフードの内面に設けられていることを特徴とする請求項１から５のいずれかに記載のカメラ。
【発明の詳細な説明】
【技術分野】
【０００１】
本発明は、録音機能を有するマイク付きカメラに関する。
【背景技術】
【０００２】
図１４および図１５に示す従来のカメラ２１は、本体２２の前面に、レンズフード２３を有する撮影レンズ２５とマイク２４とが設けられている。このように、本体２２上に配置されたマイク２４は、本体２２の内部の機構が発するモータ音などの雑音を拾い易い。また、近年の本体サイズの小型化によって、本体２２のどの位置にマイク２４を配置してもユーザが誤って触れてしまい易く、マイク２４が雑音を拾う危険度を増加させている。さらに、マイク２４は離れた被写体の音声を捕らえるために指向性の強いものが用いられるので、被写体に正対する本体２２の前面に配置される必要があるが、大型の望遠レンズを使用する場合には、マイク２４が望遠レンズの陰に隠れてしまい、被写体が発する音声を効率良く捕らえることができない。
【０００３】
このような問題を解決するために、特許文献１には、収納可能なマイク支持部品を取付けたビデオカメラが開示されているが、撮影の都度、支持部材を操作する必要があり、大型の望遠レンズに対応するような指示部材を備えることも難しい。また、特許文献２には、レンズの上部にマイクを配置したビデオカメラが開示されているが、マイクが本体に近いので、依然、本体内部の雑音を拾い易いという問題は残る。
【特許文献１】特開平１１−１９６３０４号公報
【特許文献２】特開平８−２８９１８１号公報
【発明の開示】
【発明が解決しようとする課題】
【０００４】
本発明は、本体内部の雑音を拾い難いマイク付きカメラを提供することを課題とする。
【課題を解決するための手段】
【０００５】
本発明によれば、マイクを介して被写体の音声を録音可能なカメラは、カメラ本体の前部に位置する撮影レンズの先端部にあるレンズフードに前記マイクを配置したものとする。
【０００６】
この構成によれば、マイクが本体から離れているので本体内部の雑音を拾い難く、ユーザが誤って触る危険性も低い。
【０００７】
また、本発明のカメラにおいて、前記撮影レンズは、前記マイクを前記カメラ本体に接続する電路を有してもよく、さらに、前記レンズフードは、前記撮影レンズに着脱可能であり、前記マイクを前記電路に接続するコネクタを有してもよい。また、前記撮影レンズは、前記カメラ本体に着脱可能であり、前記電路を前記カメラ本体に接続するコネクタを有してもよい。
【０００８】
この構成によれば、撮影レンズやレンズフードを交換してもレンズフードに配置したマイクを電気的に本体に接続することができ、マイクが拾った音声をカメラ本体に伝達できる。
【０００９】
また、本発明のカメラにおいて、前記マイクは、音声信号を前記カメラ本体に無線送信する手段を有し、前記カメラ本体は、前記マイクからの音声信号を無線受信する手段を有してもよい。
【００１０】
この構成によれば、前記レンズフードにバッテリを装着することで、被写体のそばにマイクを置いて音声を録音することもできる。
【００１１】
また、本発明のカメラにおいて、前記マイクは、前記レンズフードの内面に設けてもよい。
【００１２】
この構成によれば、風切り音や側面からの雑音を拾わずに、被写体の発する音声を効率よく拾うことができる。
【発明の効果】
【００１３】
本発明によって、カメラのマイクが本体内部および外部の雑音を拾い難くなり、被写体の発する音声をきれいに録音できるようになった。
【発明を実施するための最良の形態】
【００１４】
図１および図２に、本発明の第１実施形態のカメラ１を示す。カメラ１は、本体２の前面にレンズフード３が取付けられた撮影レンズ５を有しており、レンズフード３の内面に、マイク４が設けられている。また、図３に示すように、レンズフード３には、マイク４の後方に２本の金属電極である端子６が設けられている。この端子６は、図４に示すように、撮影レンズ５の先端に設けた２つの端子受け部７に係合するようになっており、マイク４と撮影レンズ５とを電気的に接続するコネクタの役目を果たしている。撮影レンズ５には、前記端子受け部７から本体２のＣＰＵ９まで電路８が配設されている。
【００１５】
図５は、このカメラ１をブロック図に表わしたものである。カメラ１の本体２は、各部の制御および画像や音声の処理を行う制御装置であるＣＰＵ９を搭載した回路を有し、ＣＰＵ９に電力を供給するバッテリ１０を内蔵している。図中の実線矢印は、音声信号の流れを表わし、破線矢印は電力の流れを表わしている。マイク４が拾った音声は、電気信号として、撮影レンズ５に設けられた電路８を介して本体２の回路に搭載したＣＰＵ９に伝達される。ここで、コネクタ１１は、端子６と端子受け部７とが係合していることを表わしている。また、バッテリ１０はＣＰＵ９に電力を供給し、ＣＰＵ９が音声信号を処理することを可能にしている。
【００１６】
本実施形態において、図１が示すように、マイク４は、撮影レンズ５およびレンズフード３に隠れることなく、常に被写体に正対することができる。さらに、マイク４と本体２との間に撮影レンズ５が配置されているため、本体２内部の雑音を拾うことがない。また、マイク４は、レンズフード３の内側の奥まった位置に取付けられているため、ユーザが誤って手で触れて雑音を発生させることがない。さらに、マイク４は、レンズフード３に囲まれているために風が直接当たり難いので風切り音を拾い難く、レンズフード３が側面からの雑音を遮断するので、正面の被写体が発する音声を選択的に効率よく拾うことができる。また、コネクタ１１によって、マイク４を電気的に接続および切離しすることが可能であるので、カメラ１のマイク４は、レンズフード３とともに容易に交換することができる。
【００１７】
図６は、本発明の第２実施形態のカメラ１を表わすブロック図である。本実施形態では、さらに、撮影レンズ５が本体２から取外し可能である。このため、マイク４からの音声信号の伝達経路である撮影レンズ５の電路８を本体２の回路に接続および切離しするために、撮影レンズ５と本体２との間にもコネクタ１１が設けられている。このさらなるコネクタ１１は、図３および図４に示した端子６および端子受け部７と同一の構成のコネクタでよい。本実施形態のカメラ１は、撮影レンズ５を望遠レンズや広角レンズなどの異なる種類のレンズと交換することも可能であるので、多様な要求に応じた音声の記録をともなう撮影が可能である。
【００１８】
図７は、本発明の第３実施形態のカメラ１を表わすブロック図である。本実施形態では、マイク４は、無線送信装置１２を有するワイヤレスマイクであり、本体２には、無線受信装置１３が設けられている。このカメラ１では、マイク４が拾った音声信号は、無線送信装置１２で電磁波に変換されて送信される。無線受信装置１３は、無線送信装置１２が送信した電磁波による音声信号を受信して電気信号に再変換する。無線受信装置１３で再変換された音声電気信号は、ＣＰＵ９に伝達されて処理される。これらの無線送信装置１２および無線受信装置１３は、その動作のためにバッテリ１０から電力が供給される必要がある。このため、前述の第１実施形態と同じ構成の電路８およびコネクタ１１は、マイク４からの音声信号を本体２のＣＰＵ９に伝える経路としてではなく、本体２のバッテリ１０から無線送信装置１２へ電力を供給する経路として必要である。また、ここでは、無線送信装置１２はワイヤレスマイク４の一部を構成するものと捉え、コネクタ１１は、マイク４と撮影レンズ５の電路８とを接続しているものと解する。
【００１９】
本実施形態では、図８に示すように、取外したレンズフード３にバッテリパック１４を装着することができる。バッテリパック１４は、レンズフード３の端子６と係合する端子受け部（不図示）が設けられており、マイク４に電力を供給することができるようになっている。図９に示すように、このカメラ１のマイク４は、カメラ１の本体２および撮影レンズ５に取付けなくても、無線送信装置１２により音声を電磁波に変換して、本体２の無線受信装置１３に伝達することができる。つまり、このカメラ１は、取外したレンズフード３にバッテリパック１４を装着して被写体の近くに置くことで、被写体が発する小さな音声も逃さずに拾い録音することができる。
【００２０】
図１０は、本発明の第４実施形態のカメラ１を表わすブロック図である。これは、図７に示した第３実施形態のカメラ１の撮影レンズ５を、さらに、取外し可能としたものである。このため、撮影レンズ５と本体２との間にもコネクタ１１が必要となっている。この実施形態では、レンズ５を望遠レンズと交換することもできるので、遠く離れた被写体を望遠レンズで撮影しながらも、マイク４を被写体の近くに置いて被写体が発する音声を逃さず拾い記録することができる。
【００２１】
図１１は、本発明の第５実施形態のカメラ１の概略図である。カメラ１の無線送信装置１２および無線受信装置１３は、ともに双方向通信可能な汎用規格であるＢｌｕｅｔｏｏｔｈに準拠した通信ユニットである。そして、レンズフード３には、小型のバッテリ１５を装着しており、本体２に設置されたバッテリ１０からマイク４に電力を供給する必要がないので、撮影レンズ５に電路８は設けられていない。また、カメラ本体２には、撮影しようとする画像を確認するためのファインダ１６および、表示装置１７が設けられ、さらに、マイク４が拾いＢｌｕｅｔｏｏｔｈ通信ユニット１２および１３を介してＣＰＵ９に伝送した音声を記録するメモリ１８と、マイク４から伝送された記録しようとする音声またはメモリ１８に記録された音声を確認するためのスピーカ１９とが設けられている。
【００２２】
図１２は、図１１のカメラ１のレンズ３の詳細図であり、図１２（ａ）は正面を、図１２（ｂ）は側面を示す。バッテリ１５は、レンズフード３の外表面の一部を構成する湾曲した薄い板状をしている。このバッテリ１５は、Ｂｌｕｅｔｏｏｔｈ通信ユニット１２に電力を供給し、マイク４が拾った音声を送信可能にする。このカメラ１をブロック図に示すと図１３のようになる。本実施形態でもレンズフード３を撮影レンズ５から取外して、マイク４で被写体の音声を拾い、音声信号を本体２に無線伝送して録音することが可能である。また、ＣＰＵ９は、Ｂｌｕｅｔｏｏｔｈ通信ユニット１２および１３の双方向通信機能によって、不必要なときにはマイク４が音声信号を送信しないように制御してバッテリの消耗を抑制することも可能である。さらに、このカメラ１では、撮影レンズ５に電路を設ける必要がないために、従来のカメラに使用されている多様な撮影レンズをそのまま使用することが可能である。
【図面の簡単な説明】
【００２３】
【図１】本発明第１実施形態のカメラの正面図
【図２】図１のカメラの斜視図
【図３】図１のカメラのレンズフードの斜視図
【図４】レンズフードを取外した図１のカメラの斜視図
【図５】図１のカメラのブロック図
【図６】本発明第２実施形態のカメラのブロック図
【図７】本発明第３実施形態のカメラのブロック図
【図８】バッテリパックを装着した図７のカメラのレンズフードの斜視図
【図９】図７のカメラの異なる使用形態のブロック図
【図１０】本発明第４実施形態のカメラのブロック図
【図１１】本発明第５実施形態のカメラの概略図
【図１２】図１１のカメラのレンズフードの正面図（Ａ）側面図（Ｂ）
【図１３】本発明第５実施形態のカメラのブロック図
【図１４】従来のカメラの正面図
【図１５】従来のカメラの斜視図
【符号の説明】
【００２４】
１…カメラ、２…本体、３…レンズフード、４…マイク、５…撮影レンズ、
６…端子、７…端子受け部、８…電路、１１…コネクタ、
１２…無線送信装置（Bluetooth）、１３…無線受信装置（Bluetooth）
【図１】
2005175763.tif 000003
【図２】
2005175763.tif 000004
【図３】
2005175763.tif 000005
【図４】
2005175763.tif 000006
【図５】
2005175763.tif 000007
【図６】
2005175763.tif 000008
【図７】
2005175763.tif 000009
【図８】
2005175763.tif 000010
【図９】
2005175763.tif 000011
【図１０】
2005175763.tif 000012
【図１１】
2005175763.tif 000013
【図１２】
2005175763.tif 000014
【図１３】
2005175763.tif 000015
【図１４】
2005175763.tif 000016
【図１５】
2005175763.tif 000017